(57)【要約】【課題】トリガーの摺動操作で摺動する接点駆動部材であって、トリガーにあらゆる方向からの衝撃荷重が加わっても接点駆動部材に関連する操作軸への衝撃を緩和する構造としたトリガースイッチを提供する。【解決手段】トリガースイッチは、ケース内部に接離可能に設けた固定接点及び可動接点と、前記ケース内部に摺動自在に収容され、前記可動接点を駆動する接点駆動部材と、ユーザが操作するトリガーに前記接点駆動部材に係合するための操作軸を設け、前記操作軸の先端部が前記接点駆動部材の端部の壁部に付き合わせた状態にあることである。【選択図】  図１
2012028066.tif 000002
【特許請求の範囲】
【請求項１】
ケース内部に接離可能に設けた固定接点及び可動接点と、
前記ケース内部に摺動自在に収容され、前記可動接点を駆動する接点駆動部材と、
ユーザが操作するトリガーに前記接点駆動部材に係合するための操作軸を設け、
前記操作軸の先端部が前記接点駆動部材の端部の壁部に付き合わせた状態にあることを特徴とするトリガースイッチ。
【請求項２】
前記壁部の突き合わせた箇所に凹凸の関係で係合する係合部を設けたことを特徴とする請求項１に記載のトリガースイッチ。
【請求項３】
前記係合部は、別部材のリングで係止する構造としたことを特徴とする請求項２に記載のトリガースイッチ。
【発明の詳細な説明】
【技術分野】
【０００１】
本発明はトリガースイッチに関し、詳しくは、電動工具用スイッチに使用されているスイッチに設けてあるところの操作レバー（トリガー）と連結して動くプランジャー（接点駆動部材）に対して連結部分を当接状態にすることで操作レバーに衝撃荷重が加わっても衝撃を緩和させる構造を備えたトリガースイッチに関する。
【背景技術】
【０００２】
第１の例としての従来技術におけるトリガースイッチは、図１３乃至図１５に示すように、接点部材１２を搭載したケース１１に接点摺動部材１３ａを摺動自在に装着し、接点摺動部材１３ａに一体に形成された操作軸２２ａの先端部分がトリガー２１ａの操作軸係合穴４１に連結固定された構成となっている。
【０００３】
接点駆動部材１３ａは、略直方体形状に形成され、その先端部に長尺な操作軸２２ａを一体に形成し、胴体の中央位置で天井側に半円筒形状に刳り貫いて復帰バネ２７を係合支持する復帰バネ係合部１５を設け、底部に可動接点を摺動するオシボで形成された接点摺動部１６を備え、横側に速度を制御する基板２５に設けたスライド抵抗体２６に摺動させるスライドバネ２８を備えたスライド速度制御部１７を設けた構成となっている。
【０００４】
トリガー２１ａには上述したように、接点駆動部材１３ａに一体に形成されている操作軸２２ａに連結係合する操作軸係合穴４１を設けた構造となっている。
この操作軸係合穴４１は、操作軸２２ａの先端側に設けてある連結軸２２ｂに係合するもので、連結軸２２ｂが結合する筒穴状に形成され、その連結軸２２ｂの凹凸に形成された表面側に結合係止する構造となっている。
【０００５】
第２の例として、図１６及び図１７に示すように、特開２００６−３１０２２７号公報に開示されているもので、本体内部に接離可能に設けた固定接点及び可動接点と、本体内部にスライド可能に収容され、可動接点を駆動する接点駆動部材４と、一端を接点駆動部材４に係合する一方、本体から突出する他端にユーザが操作するトリガー６に設けた操作軸５とを有し、この操作軸５が、接点駆動部材４に対して傾斜可能な遊びを有する係合状態にあり、この遊びをつくりだすために、接点駆動部材４は操作軸５にほぼ垂直で、且つ、切欠きを設けた壁部４ａを有し、操作軸５は、切欠き４ｂに係合する係合溝５ａを設けた構成となっている。
【０００６】
このような構造の接点駆動部材４においては、操作軸５の係合溝５ａを壁部４ａに設けた切欠き４ｂに係合させて接点駆動部材４に係合させる。こうすることで、操作軸５と接点駆動部材４との係合状態に遊びを設けた係合状態となり、特に係合溝５ａの溝の幅と切欠き４ｂの幅との遊嵌合状態になり、トリガー６側での上下方向の動きに対して緩やかな対応をすることが可能となる。
【先行技術文献】
【特許文献】
【０００７】
【特許文献１】特開２００６−３１０２２７
【発明の概要】
【発明が解決しようとする課題】
【０００８】
しかしながら、従来技術で説明したトリガースイッチにおいて、操作軸が接点駆動部材と連設して一体に形成されているために、トリガーの摺動操作が直接に接点駆動部材の摺動動作に関係することになり、トリガーに衝撃荷重が加わると操作軸の根元部分が破損するといった問題がある。
【０００９】
又、第２の例のように、操作軸との接点駆動部材との当接位置に遊びを有する構造においては、切欠きに操作軸の切欠きを係合させて遊びを作り出す構成であり、一定角度の上下方向の定まった不意の動きに対しては対応できるとしても、あらゆる不用意な動きに対しては対応できず、操作軸と接点駆動部材との不具合が生じるという問題がある。
【００１０】
従って、トリガーの摺動操作で摺動する接点駆動部材であって、トリガーにあらゆる方向からの衝撃荷重が加わっても接点駆動部材に関連する操作軸への衝撃を緩和するような構造に解決しなければならない課題を有する。
【課題を解決するための手段】
【００１１】
上記課題を解決するために、本願発明のトリガースイッチは、次に示す構成にすることである。
【００１２】
（１）トリガースイッチは、ケース内部に接離可能に設けた固定接点及び可動接点と、前記ケース内部に摺動自在に収容され、前記可動接点を駆動する接点駆動部材と、ユーザが操作するトリガーに前記接点駆動部材に係合するための操作軸を設け、前記操作軸の先端部が前記接点駆動部材の端部の壁部に付き合わせた状態にあることである。
（２）前記壁部の突き合わせた箇所に凹凸の関係で係合する係合部を設けたことを特徴とする（１）に記載のトリガースイッチ。
（３）前記係合部は、別部材のリングで係止する構造としたことを特徴とする（２）に記載のトリガースイッチ。
【発明の効果】
【００１３】
本発明に係るトリガースイッチは、ケース内部に収容される接点駆動部材に対してトリガーと一体に形成されている操作軸の端部が接点駆動部材の端部に突き合わせた状態にする構造としたことにより、トリガーに過度な衝撃が加わっても、接点駆動部材と操作軸とは密着固定した状態ではなく、突き合わせた接触状態であるために、過度な応力がかからず破損といった問題を回避することができる。
【図面の簡単な説明】
【００１４】
【図１】本発明に係る第１の例のトリガースイッチのカバーを外した状態の全体斜視図である。
【図２】同、接点駆動部材とトリガーとの関係を示す斜視図である。
【図３】同、カバーを外した平面図である。
【図４】同、図３におけるＡ−Ａ線断面図である。
【図５】同、トリガーを操作して引き込んだ状態を示す平面図である。
【図６】同、図５におけるＡ−Ａ線断面図である。
【図７】本発明に係る第２の例のトリガースイッチのカバーを外した状態の全体斜視図である。
【図８】同、接点駆動部材とトリガーとの関係を示す斜視図である。
【図９】同、カバーを外した平面図である。
【図１０】同、図９におけるＡ−Ａ線断面図である。
【図１１】同、トリガーを操作して引き込んだ状態を示す平面図である。
【図１２】同、図１１におけるＡ−Ａ線断面図である。
【図１３】従来技術の第１の例のトリガースイッチのカバーを外した状態の全体斜視図である。
【図１４】同、カバーを外した平面図である。
【図１５】同、図１４におけるＡ−Ａ線断面図である。
【図１６】従来技術の第２の例のトリガースイッチの要部を示した斜視図である。
【図１７】同、操作軸が係合した状態を示す断面図である。
【発明を実施するための最良の形態】
【００１５】
本願発明に係るトリガースイッチの実施形態について、図面を参照して説明する。
【００１６】
本発明に係る第１の例のトリガースイッチは、図１乃至図６に示すように、カバーとケース１１の内部空間の適所位置に可動接点を備えた接点部材１２を収容し、その接点部材１２に摺動させて接点動作を行う接点駆動部材１３と、この接点駆動部材１３に対して操作軸を一体形成したトリガー２１と、を備えた構成になっている。
【００１７】
接点駆動部材１３は、略直方体形状に形成され、その先端部に操作軸２２の先端部２３と付き合わせるための壁部１４を形成し、壁部１４の内側の天井側を半円筒形状に刳り貫いて復帰バネ２７を係合支持する復帰バネ係合部１５を設け、この復帰バネ係合部１５の横側に速度を制御する制御基板２５に設けてあるスライド抵抗体２６に摺動させるスライドバネ２８を備えたスライド速度制御部１７を設け、復帰バネ係合部１５の反体側の位置に、端部に可動接点を備えた板部の表面を摺動するオシボ１８で形成された接点摺動部１６を備えた構成になっている。
【００１８】
接点摺動部１６は、復帰バネ係合部１５の反体側に並列に位置をずらしてスプリングで弾性力が付与されたオシボ１８を備え、このオシボ１８の先端部が、端部に可動接点を備えた板部の表面に当接して摺動する構造となっている。
【００１９】
復帰バネ係合部１５は、復帰バネ２７を係合させ、その復帰バネ２７の一方端部をケース１１の壁部に係合させ、接点駆動部材１３自体をトリガー方向に弾性付勢させた構成となっている。
【００２０】
トリガー２１には上述したように、操作軸２２が一体に形成されており、この操作軸２２の先端側にＥリング（Ｅ型止め輪）３１で抜止をするためのリング装着溝２４を設け、先端部２３が壁部１４の表面に当接して付き合わせる構造となっている。
【００２１】
このように接点駆動部材１３を可動接点に当接させて摺動可能な状態とし、接点駆動部材１３の壁部１４に操作軸２２の先端部２３を当接させる。そうすると、接点駆動部材１３に復帰バネ係合部１５に係合されている復帰バネ２７により接点駆動部材１３自体がトリガー２１方向に付勢されているために、壁部１４と操作軸２２の先端部２３との当接が常時付き合わせた状態を維持する。この状態でトリガー２１を引き込むと操作軸２２の先端部２３が壁部１４に当接した状態で復帰バネ２７に抗して引き込むことにより接点駆動部材１３自体がケース１１の奥方向に摺動スライドする。
そして、摺動スライドするときに接点摺動部１６が可動接点の板部上を摺動して接点をオン動作させ、且つスライド速度制御部１７のスライドバネ２８が制御基板２５のスライド抵抗体２６上を摺動することで速度制御をする。この状態でロックボタン３２をオン操作すると引き込まれた状態が維持され、更にトリガー２１を押し込む動作をすることでロックボタン３２によるロック状態が解除され、復帰バネ２７の復帰力によりトリガー２１が元の状態に押し戻される。
【００２２】
次に第２の例のトリガースイッチについて、図面を参照して説明する。
第２の例のトリガースイッチは、第１の例のトリガースイッチと比べて、接点摺動部材の壁部に当接する操作軸の先端部に壁部に突設させたガイド凸部を遊嵌合させる構造にしたものである。
【００２３】
このような構造の第２の例のトリガースイッチは、図７乃至図１２に示すように、上述した第１の例のトリガースイッチと略同じ構成となっており、カバーとケース１１の内部空間の適所位置に可動接点を備えた接点部材１２を収容し、その接点部材１２に摺動させて接点動作を行う接点駆動部材１３と、この接点駆動部材１３に対して操作軸２２を一体形成したトリガー２１と、を備えた構成になっている。
【００２４】
接点駆動部材１３は、略直方体形状に形成され、その前方側に操作軸２２の先端部２３と付き合わせるための壁部１４を形成すると共に、この壁部１４の略中央位置に突設させたガイド凸部１９を備え、壁部１４の内側の天井側を半円筒形状に刳り貫いて復帰バネ２７を係合支持する復帰バネ係合部１５を設け、この復帰バネ係合部１５の横側に速度を制御する制御基板２５に設けてあるスライド抵抗体２６に摺動させるスライドバネ２８を備えたスライド速度制御部１７を設け、復帰バネ係合部１５の反対側の位置に、端部に可動接点を備えた板部の表面を摺動するオシボ１８で形成された接点摺動部１６を備えた構成になっている。
【００２５】
ガイド凸部１９は、壁部１４の略中央位置に突設形成されたもので、その筒状の径は操作軸２２に形成された中空のガイド穴２９に収容できる径の大きさであり、先端部から奥行きに所定幅の細径に形成し、基部側にＥリング３１が片持ちで嵌めこむリング係合溝２０を設けた構造となっている。
【００２６】
接点摺動部１６は、復帰バネ係合部１５の反対側に並列に位置をずらしてスプリングで弾性力が付与されたオシボ１８を備え、このオシボ１８の先端部が、端部に可動接点を備えた板部の表面に当接して摺動する構造となっている。
【００２７】
復帰バネ係合部１５は、復帰バネ２７を係合させ、その復帰バネ２７の一方端部をケースの壁部に係合させ、接点駆動部材１３自体をトリガー２１方向に弾性付勢させた構成となっている。
【００２８】
トリガー２１には上述したように、操作軸２２が一体に形成されており、この操作軸２２の先端側にＥリング３１で抜止をするためのリング装着溝２４を設け、先端側から中空のガイド穴２９を形成し、このガイド穴２９はガイド凸部１９を遊嵌合させる大きさに形成されている。
操作軸２２の先端部２３がガイド凸部１９をガイド穴２９に嵌合させて壁部１４の表面に当接して付き合わせる構造となっている。
【００２９】
このように、接点駆動部材１３を可動接点に当接させて摺動可能な状態とし、接点駆動部材１３の壁部１４に設けたガイド凸部１９を操作軸２２の先端部２３に設けたガイド穴２９に遊嵌合させ、操作軸２２の先端部２３を壁部１４に当接させる。そうすると、接点駆動部材１３に復帰バネ係合部１５に係合されている復帰バネ２７により接点駆動部材１３自体がトリガー２１方向に付勢されているために、壁部１４と操作軸２２の先端部２３との当接がガイド穴２９にガイド凸部１９を遊嵌合させた状態で常時付き合わせた状態を維持する。
【００３０】
この状態でトリガー２１を引き込むと操作軸２２の先端部２３に設けてあるガイド穴２９にガイド凸部１９を遊嵌合させた状態で且つ操作軸２２の先端部２３が壁部１４に当接した状態で復帰バネ２７に抗して引き込むことにより接点駆動部材１３自体がケース１１の奥方向に摺動スライドする。
【００３１】
そして、摺動スライドするときに接点摺動部１６が可動接点の板部上を摺動して接点をオン動作させ、且つスライド速度制御部１７のスライドバネ２８が制御基板２５のスライド抵抗体２６上を摺動することで速度制御をする。
【００３２】
この状態でロックボタン３２をオン操作すると引き込まれた状態が維持され、更にトリガー２１を押し込む動作をすることでロックボタン３２によるロック状態が解除され、復帰バネ２７の復帰力によりトリガー２１が元の状態に押し戻される。
【産業上の利用可能性】
【００３３】
トリガーの摺動操作で摺動する接点駆動部材であって、トリガーにあらゆる方向からの衝撃荷重が加わっても接点駆動部材に関連する操作軸への衝撃を緩和する構造を備えたトリガースイッチを提供する。
【符号の説明】
【００３４】
１１      ケース
１２      接点部材
１３      接点駆動部材
１４      壁部
１５      復帰バネ係合部
１６      接点摺動部
１７      スライド速度制御部
１８      オシボ
１９      ガイド凸部
２０      リング係合溝
２１      トリガー
２２      操作軸
２３      先端部
２４      リング装着溝
２５      制御基板
２６      スライド抵抗体
２７      復帰バネ
２８      スライドバネ
２９      ガイド穴
３１      Ｅリング
３２      ロックボタン
【図１】
2012028066.tif 000003
【図２】
2012028066.tif 000004
【図３】
2012028066.tif 000005
【図４】
2012028066.tif 000006
【図５】
2012028066.tif 000007
【図６】
2012028066.tif 000008
【図７】
2012028066.tif 000009
【図８】
2012028066.tif 000010
【図９】
2012028066.tif 000011
【図１０】
2012028066.tif 000012
【図１１】
2012028066.tif 000013
【図１２】
2012028066.tif 000014
【図１３】
2012028066.tif 000015
【図１４】
2012028066.tif 000016
【図１５】
2012028066.tif 000017
【図１６】
2012028066.tif 000018
【図１７】
2012028066.tif 000019